(57)【要約】【課題】車用３６０度のサラウンドビュー撮影効果を有するドライブ記録、盗難検知警報及び影像レコーダを提供する。【解決手段】主に電源管理システムと、３６０度サラウンドビュー撮像レンズと、デジタル信号プロセッサー（ＤＳＰ）と、データ格納部と、小型表示装置と、操作部と、無線通信モジュールと、を構成される。車走行のとき、３６０度サラウンドビュー撮像レンズによって、進行方向の影像を取り込み、デジタル信号プロセッサーにて演算処理された後、車走行時の前方影像の記録として、データ格納部に格納すると共に、小型表示装置にて影像を表示する。さらに、車が駐車状態のとき、デジタル信号プロセッサーによって、３６０度サラウンドビュー撮像レンズが異常な動的変化を検知されたとき、すべての影像を記録すると同時に、自動車盗難警報システム、または自動車盗難の電源中断システムを起動するか、あるいは無線通信モジュールを介して、無線警報システムを起動して、状況を通報する。【選択図】図１
0003174831.tif 000002
【実用新案登録請求の範囲】
【請求項１】
車用３６０度のサラウンドビュー撮影効果を有するドライブ記録、盗難検知警報及び影像レコーダであって、
車載電源より電気を取り入れる、電源管理システムと、
車に取り付けられ、高解像度の影像を取り込む、３６０度のサラウンドビュー撮像レンズと、
影像を取り込んで演算処理する、デジタル信号プロセッサー（ＤＳＰ）と、
前記デジタル信号プロセッサーに接続していて、影像を格納する、データ格納部と、
前記デジタル信号プロセッサーに接続していて、影像を表示する、小型表示装置と、
前記デジタル信号プロセッサーに接続していて、設定及び制御を行う、操作部と、
前記デジタル信号プロセッサーに接続する、無線通信モジュールと、を備える、
車走行のとき、３６０度サラウンドビュー撮像レンズが進行方向の影像を取り込み、デジタル信号プロセッサー（ＤＳＰ）の演算処理を経て、車走行時の前方影像の記録として、データ格納部に格納すると共に、小型表示装置にて影像を表示される、車が駐車状態のとき、デジタル信号プロセッサーによって、３６０度サラウンドビュー撮像レンズが異常な動的変化を検知されたとき、すべての影像を記録すると共に、自動車盗難警報システム、または自動車盗難の電源中断システムを起動するか、あるいは無線通信モジュールによって、無線警報システムを起動して、状況を通報することができる。
【請求項２】
前記データ格納部は、例えばＳＤ／ＵＳＢ／ＨＤＤなどの格納周辺装置のいずれかを選択することを特徴とする請求項１記載の車用３６０度のサラウンドビュー撮影効果を有するドライブ記録、盗難検知警報及び影像レコーダ。
【請求項３】
前記無線通信モジュールは、例えばＲＦ／ＷＩＦＩ／ＧＰＲＳなどの無線通信伝送システムのいずれかを選択することを特徴とする請求項１記載の車用３６０度のサラウンドビュー撮影効果を有するドライブ記録、盗難検知警報及び影像レコーダ。
【請求項４】
前記無線警報システムは、内蔵式または外部に接続することを特徴とする請求項１記載の車用３６０度のサラウンドビュー撮影効果を有するドライブ記録、盗難検知警報及び影像レコーダ。
【請求項５】
さらに有線通信方式によって、車載ビデオ／オーディオ装置に接続され、前記３６０度サラウンドビュー撮像レンズによって、撮影された影像を直接に、前記車載ビデオ／オーディオ装置の表示スクリーンにアップロード及び表示することができることを特徴とする、請求項１記載の車用３６０度のサラウンドビュー撮影効果を有するドライブ記録、盗難検知警報及び影像レコーダ。
【請求項６】
前記車載ビデオ／オーディオ装置は、有線通信方式によって、直接に車用３６０度のサラウンドビュー撮影効果を有するドライブ記録、盗難検知警報及び影像レコーダすべてのシステム機能及び設定システムを制御することを特徴とする、請求項５記載の車用３６０度のサラウンドビュー撮影効果を有するドライブ記録、盗難検知警報及び影像レコーダ。
【請求項７】
前記車載ビデオ／オーディオ装置が使用する有線通信方式は、ＩＲ、Ｉ２ＣまたはＵＡＲＴのいずれかを選択することを特徴とする、請求項６記載の車用３６０度のサラウンドビュー撮影効果を有するドライブ記録、盗難検知警報及び影像レコーダ。
【請求項８】
前記車載ビデオ／オーディオ装置は、無線通信方式によって、直接に車用３６０度のサラウンドビュー撮影効果を有するドライブ記録、盗難検知警報及び影像レコーダすべてのシステム機能及び設定システムを制御することを特徴とする、請求項５記載の車用３６０度のサラウンドビュー撮影効果を有するドライブ記録、盗難検知警報及び影像レコーダ。
【請求項９】
前記車載ビデオ／オーディオ装置が使用する有線通信方式は、ＩＲ、Ｉ２ＣまたはＵＡＲＴのいずれかを選択することを特徴とする、請求項８記載の車用３６０度のサラウンドビュー撮影効果を有するドライブ記録、盗難検知警報及び影像レコーダ。
【請求項１０】
前記デジタル信号プロセッサーに接続する赤外線受発信機をさらに有し、影像及び音声伝送機能を備える専用の監視制御リモコンによって、現時点車内の影像及び音声を伝送することができることを特徴とする、請求項１記載の車用３６０度のサラウンドビュー撮影効果を有するドライブ記録、盗難検知警報及び影像レコーダ。
【請求項１１】
前記専用の監視制御リモコンが前記デジタル信号プロセッサーによって、前記３６０度サラウンドビュー撮像レンズが取り込まれた３６０度サラウンドビュー影像に異常な動的変化を検知されたとき、警告を発信すると共に、影像が表示さることを特徴とする、請求項１記載の車用３６０度のサラウンドビュー撮影効果を有するドライブ記録、盗難検知警報及び影像レコーダ。
【考案の詳細な説明】
【技術分野】
【０００１】
本考案は、車用３６０度のサラウンドビュー撮影効果を有するドライブ記録、盗難検知警報及び影像レコーダに関し、影像記録機能のほか、盗難防止及び警報報知も合わせて提供されるため、従来のドライブレコーダのような単一機能に比べ、機能が大幅に向上されている。
【背景技術】
【０００２】
車走行の安全を図るため、多くの使用者は、車走行データの証拠として、車にドライブレコーダを取り付けている。従来のドライブレコーダは、主に一つまたは複数の撮像レンズと、データ格納装置の構成である。撮像レンズによって取り込まれた影像は、データ格納装置に格納される。さらに、機能が進化したドライブレコーダには、車走行の影像を表示するための表示装置が配置されている。
【考案の概要】
【考案が解決しようとする課題】
【０００３】
しかし、これら従来のドライブレコーダの機能は、影像を格納するのみで、ほかに機能的な設計はなく、車載型の盗難防止システムに接続して使用することはできない。よって、改善の必要がある。
【課題を解決するための手段】
【０００４】
公知技術の問題点に対して、本考案の車用３６０度のサラウンドビュー撮影効果を有するドライブ記録、盗難検知警報及び影像レコーダは主に、
【０００５】
車載電源より電気を取り入れる、電源管理システムと、
【０００６】
車に取り付けられ、高解像度の影像を取り込む、３６０度のサラウンドビュー撮像レンズと、
【０００７】
影像を取り込んで演算処理する、デジタル信号プロセッサー（ＤＳＰ）と、
【０００８】
前記デジタル信号プロセッサーに接続していて、影像を格納する、データ格納部と、
【０００９】
前記デジタル信号プロセッサーに接続していて、影像を表示する、小型表示装置と、
【００１０】
前記デジタル信号プロセッサーに接続していて、設定及び制御を行う、操作部と、
【００１１】
前記デジタル信号プロセッサーに接続する、無線通信モジュールと、を備える。
【００１２】
車走行のとき、３６０度サラウンドビュー撮像レンズによって、進行方向の影像を取り込み、デジタル信号プロセッサーにて演算処理された後、車走行時の前方影像の記録として、データ格納部に格納すると共に、小型表示装置にて影像を表示する。さらに、車が駐車状態のとき、デジタル信号プロセッサーによって、３６０度サラウンドビュー撮像レンズが異常な動的変化を検知されたとき、すべての影像を記録すると同時に、自動車盗難警報システム、または自動車盗難の電源中断システムを起動するか、あるいは無線通信モジュールを介して、無線警報システムを起動して、状況を通報する。
【００１３】
本考案が提供する車用３６０度のサラウンドビュー撮影効果を有するドライブ記録、盗難検知警報及び影像レコーダは、盗難防止及び警報報知も合わせて提供されるため、従来のドライブレコーダのような単一機能に比べ、機能が大幅に向上されている。
【００１４】
本考案が提供する車用３６０度のサラウンドビュー撮影効果を有するドライブ記録、盗難検知警報及び影像レコーダは、さらに有線方式によって、車載ビデオ／オーディオ装置に接続されているため、３６０度サラウンドビュー撮像レンズによって撮影された影像を直接に、車載ビデオ／オーディオ装置の表示スクリーンにアップロード及び表示することができる。
【００１５】
さらに、車載ビデオ／オーディオ装置は、有線または無線通信方式を利用し、直接に車用３６０度のサラウンドビュー撮影効果を有するドライブ記録、盗難検知警報及び影像レコーダに備えるすべてのシステム機能及び設定システムを制御することによって、直接に車載ビデオ／オーディオ装置にキーまたはタッチ機能操作することができる。
【００１６】
本考案が提供する車用３６０度のサラウンドビュー撮影効果を有するドライブ記録、盗難検知警報及び影像レコーダはさらに、デジタル信号プロセッサーに接続する赤外線受発信機を有し、影像及び音声伝送機能を備える専用の監視制御リモコンによって、車内現時点の影像及び音声を伝送することができる。同時に、専用の監視制御リモコンは、デジタル信号プロセッサーが３６０度サラウンドビュー撮像レンズによって、３６０度サラウンドビュー撮像レンズが異常な動的変化を検知されたときに、警報の報知及び影像表示することができる。
【００１７】
以下、図面に示された実施例に基づき、本考案の構造の特徴および使用効果を詳しく説明する。
【図面の簡単な説明】
【００１８】
【図１】本考案のシステム構造図と周辺接続態様図である。
【考案を実施するための形態】
【実施例】
【００１９】
図１、本考案のシステム構造図と周辺接続態様図を参照する。本考案によって提供される車用３６０度のサラウンドビュー撮影効果を有するドライブ記録、盗難検知警報及び影像レコーダ１００は、主に電源管理システム１０１と、３６０度サラウンドビュー撮像レンズ１０２と、デジタル信号プロセッサー（ＤＳＰ）１０３と、データ格納部１０４と、小型表示装置１０５と、操作部１０６と、無線通信モジュール１０７と、を構成される。
【００２０】
本考案の電源管理システム１０１は、車載電源２０１より電気を取り入れる。３６０度のサラウンドビュー撮像レンズ１０２は、車に取り付けられ、高解像度の影像を取り入れる。デジタル信号プロセッサー１０３は、３６０度のサラウンドビュー撮像レンズ１０２の影像を取り込んで演算処理を行う。データ格納部１０４は、デジタル信号プロセッサー１０３に接続していて、影像を格納する。データ格納部１０４は、例えばＳＤ／  ＵＳＢ／  ＨＤＤなどの格納周辺装置を選択する。小型表示装置１０５は、デジタル信号プロセッサー１０５に接続していて、影像を表示する。操作部１０６は、デジタル信号プロセッサー１０３に接続していて、設定及び制御を行う。このほか、無線通信モジュール１０７をデジタル信号プロセッサー１０３に接続した後、無線アンテナ１０９に接続する。無線通信モジュール１０７は、例えばＲＦ／  ＷＩＦＩ／  ＧＰＲＳなどの無線通信伝送システムを選択する。
【００２１】
本考案を適用した場合、車走行のとき、３６０度サラウンドビュー撮像レンズ１０２が前方影像を取り込み、デジタル信号プロセッサー１０３の演算処理を経て、車走行時の前方影像記録として、データ格納部１０４に格納すると共に、小型表示装置１０５にて影像を表示する。
【００２２】
本考案を適用した場合、車を駐車したとき、デジタル信号プロセッサー１０３によって、３６０度サラウンドビュー撮像レンズ１０２が異常な動的変化を検知できる。窓を壊された、異物または不審者の侵入など、車の異常状態を自動検出されたとき、車載盗難警報システム２０２、または自動車盗難の電源中断システム２０３を起動する、あるいは自動的に、無線通信モジュール１０７を介して、無線警報システム２０４を起動させ、状況を通報する。無線警報システム２０４は、内蔵式または外部接続式のいずれかを選択する。
【００２３】
さらに、本考案を取り付けるとき、制御及び表示端末は、有線通信方式によって、車載ビデオ／オーディオ装置２０５に接続することができる。車載ビデオ／オーディオ装置２０５は、影像表示とタッチ制御機能、システム制御機能及び無線通信モジュール１０７を有するため、３６０度サラウンドビュー撮像レンズ１０２によって、撮影された影像を直接に、車載ビデオ／オーディオ装置２０５の表示スクリーンにアップロードされる。
【００２４】
さらに、車載ビデオ／オーディオ装置２０５は、有線または無線方式を利用し、直接に車用３６０度のサラウンドビュー撮影効果を有するドライブ記録、盗難検知警報及び影像レコーダ１００に備えるすべてのシステム機能及び設定システムを制御することによって、直接に車載ビデオ／オーディオ装置２０５にキーまたはタッチ機能操作することができる。車載ビデオ／オーディオ装置２０５の有線通信方式は、例えばＩＲ、Ｉ２ＣまたはＵＡＲＴのいずれかを選択し、無線通信方式は、ＲＦ、ＷＩＦＩまたはＧＰＲＳのいずれかを選択することができる。
【００２５】
本考案が提供する車用３６０度のサラウンドビュー撮影効果を有するドライブ記録、盗難検知警報及び影像レコーダ１００はさらに、デジタル信号プロセッサー１０３に接続する赤外線受発信機１０８を有し、影像及び音声伝送機能を備える専用の監視制御リモコン２０６によって、車内現時点の影像及び音声を伝送することができる。同時に、専用の監視制御リモコン２０６は、デジタル信号プロセッサー１０３によって、３６０度サラウンドビュー撮像レンズ１０２が撮影された３６０度影像に異常な動的変化を検知されたとき、警報の発信及び影像表示することができる。
【００２６】
本考案が提供する車用３６０度のサラウンドビュー撮影効果を有するドライブ記録、盗難検知警報及び影像レコーダ１００は、影像記録機能のほか、盗難防止及び警報報知をさらに提供されているため、従来のドライブレコーダのような単一機能に比べ、機能が大幅に向上されている。
【００２７】
前述とおり、本考案が提供する車用３６０度のサラウンドビュー撮影効果を有するドライブ記録、盗難検知警報及び影像レコーダ１００は、特許の新規性と進歩性の要件を完全に一致しているため、法によって出願する。
【符号の説明】
【００２８】
１００            車用３６０度のサラウンドビュー撮影効果を有するドライブ記録、盗難検知警報及び影像レコーダ
１０１            電源管理システム
１０２            ３６０度サラウンドビュー撮像レンズ
１０３            デジタル信号プロセッサー（ＤＳＰ）
１０４            データ格納部
１０５            小型表示装置
１０６            操作部
１０７            無線通信モジュール
１０８            赤外線受発信機
１０９            無線アンテナ
２０１            自動車の電源
２０２            車載盗難警報システム
２０３            自動車盗難の電源中断システム
２０４            無線警報システム
２０５            車載ビデオ／オーディオ装置
２０６            専用の監視制御リモコン
【図１】
0003174831.tif 000003
【手続補正書】
【提出日】平成24年2月8日(2012.2.8)
【手続補正１】
【補正対象書類名】実用新案登録請求の範囲
【補正対象項目名】請求項１
【補正方法】変更
【補正の内容】
【請求項１】
車用３６０度のサラウンドビュー撮影効果を有するドライブ記録、盗難検知警報及び影像レコーダであって、
車載電源より電気を取り入れる、電源管理システムと、
車に取り付けられ、高解像度の影像を取り込む、３６０度のサラウンドビュー撮像レンズと、
影像を取り込んで演算処理する、デジタル信号プロセッサー（ＤＳＰ）と、
前記デジタル信号プロセッサーに接続していて、影像を格納する、データ格納部と、
前記デジタル信号プロセッサーに接続していて、影像を表示する、小型表示装置と、
前記デジタル信号プロセッサーに接続していて、設定及び制御を行う、操作部と、
前記デジタル信号プロセッサーに接続する、無線通信モジュールと、を備える、
車走行のとき、３６０度サラウンドビュー撮像レンズが進行方向の影像を取り込み、デジタル信号プロセッサー（ＤＳＰ）の演算処理を経て、車走行時の前方影像の記録として、データ格納部に格納すると共に、小型表示装置にて影像を表示される、車が駐車状態のとき、デジタル信号プロセッサーによって、３６０度サラウンドビュー撮像レンズが異常な動的変化を検知されたとき、すべての影像を記録すると共に、自動車盗難警報システム、または自動車盗難の電源中断システムを起動するか、あるいは無線通信モジュールによって、無線警報システムを起動して、状況を通報することができることを特徴とするドライブ記録、盗難検知警報及び影像レコーダ。